(57)【特許請求の範囲】
【請求項１】
眼鏡に支持された光源と、
前記光源からの光を所定方向に反射させる第１ホログラフィック光学素子と、
前記第１ホログラフィック光学素子で反射された光をその映像表示面で受光し、所定方向に反射する反射型表示素子と、
前記反射型表示素子からの反射光を所定方向に反射させて前記眼鏡を装着した人の瞳孔に入射させる第２ホログラフィック光学素子を含み、
前記第１ホログラフィック光学素子は、
前記反射型表示素子からの反射光を透過屈折させて、前記第２ホログラフィック光学素子に導光し、
前記第２ホログラフィック光学素子の受光領域の幅を所定の幅に伸長、または圧縮するように、前記反射光を制御する
映像表示装置。
【発明の詳細な説明】
【技術分野】
【０００１】
本発明は、眼鏡のレンズ部分に映像を表示する映像表示装置に関する。
【背景技術】
【０００２】
近年、情報端末はウェアラブル（身体に装着可能）にすることを目的として開発される場合がある。例えば映像を表示可能な眼鏡型端末の開発が進められている。このような眼鏡型端末においては、明るい映像を得るために、ホログラフィック光学素子（Holographic Optical Element、以下ＨＯＥとも表記する）が利用される場合がある。ＨＯＥを利用した眼鏡型端末の例として例えば、特許文献１の映像表示装置およびヘッドマウントディスプレイがある。特許文献１の映像表示装置およびヘッドマウントディスプレイは、映像表示素子からの映像光を接眼プリズムを含む接眼光学系に入射させ、接眼プリズム内に入射された映像光を全反射させることにより導光して、接眼プリズムに貼り付けられたＨＯＥに導く。ＨＯＥにおいて反射屈折された映像光は、ユーザの観察瞳に入射する（例えば、同文献の図１２参照）。
【先行技術文献】
【特許文献】
【０００３】
【特許文献１】特開２０１２−１３９０８号公報
【発明の概要】
【発明が解決しようとする課題】
【０００４】
従来よりも高輝度でクリアな映像を得るために、上述のような映像表示装置、ヘッドマウントディスプレイに反射型表示素子（反射型ディスプレイ）を用いることが検討されている。反射型表示素子（反射型ディスプレイ）を用いて映像を生成する場合、反射型表示素子を照明する光源が別途必要となる。光源は所定の角度で反射型表示素子を照射する必要があるため、ヘッドマウントディスプレイの、例えばテンプルなどの形状に沿った方向に光源を設置できず、光源を収容するためのケースなどが嵩張り、装置全体が大きくなってしまう場合がある。光源をヘッドマウントディスプレイの例えばテンプルなどの形状に沿った方向に設置しようとすれば、光源からの光を反射屈折させる光学系、例えばプリズムなどを設ける必要があるが、光学系が嵩張ってしまったり、光学系をヘッドマウントディスプレイの形状に沿った方向に配置できなかったりすることにより、上述と同様の問題が生じる場合がある。そこで、本発明では、反射型表示素子を用いた小型の映像表示装置を提供することを目的とする。
【課題を解決するための手段】
【０００５】
本発明の映像表示装置は、眼鏡に支持された光源と、光源からの光を所定方向に反射させる第１ホログラフィック光学素子と、第１ホログラフィック光学素子で反射された光をその映像表示面で受光し、所定方向に反射する反射型表示素子と、反射型表示素子からの反射光を所定方向に反射させて眼鏡を装着した人の瞳孔に入射させる第２ホログラフィック光学素子を含む。
【発明の効果】
【０００６】
本発明では、反射型表示素子を用いた小型の映像表示装置を実現できる。
【図面の簡単な説明】
【０００７】
【図１】プリズムを用いた映像表示装置の構成を示す平面図。
【図２】実施例１の映像表示装置の構成を示す平面図。
【図３】実施例１の映像表示装置の制御部の動作を示すフローチャート。
【図４】実施例１の映像表示装置において光の制御が不十分な場合を例示する図。
【図５】実施例２の映像表示装置の構成を示す平面図。
【図６】実施例３の映像表示装置の構成を示す平面図。
【図７】実施例３の映像表示装置の第２ホログラフィック光学素子を通じて観察される虚像について説明する図。
【図８】実施例３の映像表示装置の第２ホログラフィック光学素子を通じて観察される虚像について説明する図であって第２ホログラフィック光学素子が図７の例よりも小さい場合について説明する図。
【図９】実施例４の映像表示装置の構成を示す平面図。
【発明を実施するための形態】
【０００８】
以下、図１を参照してプリズムを用いて構成された映像表示装置の例およびその問題点について説明する。図１は、プリズムを用いた映像表示装置８の構成を示す平面図である。映像表示装置８は、眼鏡に支持、固定される。以下、眼鏡の各部名称および番号を、モダン９１、テンプル９２、リム９３、レンズ９４、ノーズパッド９５、ブリッジ９６と呼称する。映像表示装置８は、光源１１と、光源１１からの光を所定方向に反射させるプリズム８２と、プリズム８２で反射された光をその映像表示面で受光し、所定方向に反射する反射型表示素子１３と、反射型表示素子１３からの反射光を所定方向に反射させて眼鏡を装着した人の瞳孔中心７１に入射させるホログラフィック光学素子１４と、光源１１と反射型表示素子１３を制御する制御部１５を含む。光源１１、プリズム８２、反射型表示素子１３、制御部１５はいずれも、眼鏡のテンプル９２に支持されているものとし、これらの部品をテンプル９２に支持、固定するために用いるジグ（取付具）の図示は省略した。ホログラフィック光学素子１４は眼鏡のレンズ９４に貼り付けられている。
【０００９】
反射型表示素子１３は、反射型ディスプレイと呼んでもよい。反射型表示素子１３（反射型ディスプレイ１３）として、例えば反射型液晶、ＤＭＤ（Digital Micromirror Device）、ＭＥＭＳ（Micro Electro Mechanical Systems）ミラースキャンディスプレイ等を用いることができる。これに限らず反射型表示素子１３は、他の光源からの光を利用して、映像を生成する方式であれば、どんなものであってもよい。
【００１０】
プリズム８２は、反射型表示素子１３に決められた角度で光線を入射させる必要があるため、その位置や角度を自由に変更することができない。プリズム８２のサイズは、反射型表示素子１３の大きさに依存する。プリズム８２は反射型表示素子１３全体を照明するように導光しなければならないため、反射型表示素子１３が大きくなればプリズムも大きくする必要がある。図１から明らかなように、プリズム８２は眼鏡装着の妨げとなる場合がある。眼鏡装着の妨げとならないように、光源１１、プリズム８２、反射型表示素子１３を眼鏡の外側方向に移動させれば、眼鏡を含む全体のサイズが大型化してしまう。
【００１１】
以下の実施例では、上述の問題点を克服して、装置の小型化を実現した映像表示装置を開示する。なお、同じ機能を有する構成部には同じ番号を付し、重複説明を省略する。
【実施例１】
【００１２】
以下、図２を参照して実施例１の映像表示装置の構成を説明する。図２は、本実施例の映像表示装置１の構成を示す平面図である。図２に示すように本実施例の映像表示装置１は、光源１１と、光源１１からの光を所定方向に反射させる第１ホログラフィック光学素子（ＨＯＥ）１２と、第１ホログラフィック光学素子１２で反射された光をその映像表示面で受光し、所定方向に反射する反射型表示素子１３と、反射型表示素子１３からの反射光を所定方向に反射させて眼鏡を装着した人の瞳孔中心７１に入射させる第２ホログラフィック光学素子１４と、光源１１と反射型表示素子１３を制御する制御部１５を含む。光源１１、反射型表示素子１３、第２ホログラフィック光学素子１４、制御部１５は図１の映像表示装置８において同一番号を付した各構成要件と同じ機能を備える。なお、本実施例においてプリズム８２に代わって第１ホログラフィック光学素子１２が加えられたことにより、図１におけるホログラフィック光学素子１４を、第２ホログラフィック光学素子１４とし、便宜上その名称を変更したが、その役割、性質、機能は同じである。
【００１３】
光源１１、第１ホログラフィック光学素子１２、反射型表示素子１３、制御部１５はいずれも、眼鏡のテンプル９２に支持されているものとし、これらの部品をテンプル９２に支持、固定するために用いるジグ（取付具）の図示は省略した。なお、光源１１、第１ホログラフィック光学素子１２、反射型表示素子１３、制御部１５はテンプル９２以外の、眼鏡の任意の箇所に支持されていてもよい。第２ホログラフィック光学素子１４は、上述同様、眼鏡のレンズ９４に貼り付けられている。
【００１４】
図３を参照して、制御部１５の動作について説明する。図３は、本実施例の映像表示装置１の制御部１５の動作を示すフローチャートである。図３に示すように、制御部１５は、光源１１を制御し（Ｓ１５−１）、反射型表示素子１３を制御する（Ｓ１５−２）。
【００１５】
例えば反射型表示素子１３をＤＭＤ（ＭＥＭＳミラーアレイディスプレイ)とした場合、制御部１５は、光源１１を制御して、ＲＧＢ（赤・緑・青）光を順番に一色ずつ、高速で切り替えながら出力する（Ｓ１５−１）。制御部１５は、反射型表示素子１３が備える超小型ミラーの傾きを制御して、光源１１から出力された各色の光を所定の角度に反射する（Ｓ１５−２）。光源１１には、例えばＬＥＤを用いてもよい。光源１１を白色ＬＥＤと高速回転するＲＧＢカラーホイールの組み合わせとしてもよい。この場合、制御部１５は、ステップＳ１５−１においてＲＧＢカラーホイールを制御する。また光源１１には、第１ホログラフィック光学素子１２に入射する光を平行光とするレンズなどが含まれる。
【００１６】
なお、図２の映像表示装置１は映像を右目のみに表示するように構成されているが、これに限らず、映像表示装置１は映像を左目のみに表示するように構成されていてもよいし、映像を両目に表示できるように、光源１１、第１ホログラフィック光学素子１２、反射型表示素子１３、第２ホログラフィック光学素子１４、制御部１５を左右に一つずつ設けてもよい（制御部１５は一つでも実現できる）。
【００１７】
レンズ９４には、液晶シャッタを設けてもよい。映像を表示する際この液晶シャッタを閉じる制御を行えば、対比効果により映像をより明るくすることができ、映像の視認性を向上することができる。また、映像表示装置１には、映像に表示されたオブジェクトなどを操作するためのリモコンが接続されていてもよい。映像表示装置１にリモコンを接続することにより、映像に表示されたオブジェクトを操作可能となり、映像表示装置１を情報端末として使用することが可能となる。
【００１８】
ホログラフィック光学素子はその性質上、光線の入射角と反射角とを異ならせることができる。この性質は、プリズムなど他の光学系には見られない性質である。この性質を利用し、第１ホログラフィック光学素子１２は、光源１１からの光線の入射角に依存しない方向に光線を反射させて、反射型表示素子１３に導光することができる。これにより、光源１１、第１ホログラフィック光学素子１２の面の双方を眼鏡の形状に沿う方向に配置することができるため、装置の小型化に寄与する。また、ホログラフィック光学素子は所定の入射角の光線を反射する反面、他の角度で入射した光線を透過する性質を有する。このため、狭小な領域に第１ホログラフィック光学素子１２、反射型表示素子１３を配置しなければならないなどの理由で、反射型表示素子１３から反射された光が再度、第１ホログラフィック光学素子１２に入射するような場合であっても、これを透過して良好に第２ホログラフィック光学素子１４に導くことができる。光線をその入射角により選択的に反射／透過させる性質は、プリズムにも認められるが、プリズムを用いる場合、図１のプリズム８２の例のように、サイズが大きくなりすぎることが問題となる。ホログラフィック光学素子であれば薄い形状でプリズムと同様の機能を備えるため、装置の小型化に寄与する。
【００１９】
このように、本実施例の映像表示装置１によれば、第１ホログラフィック光学素子１２を用いて、光源１１からの光を反射型表示素子１３に導光したため、映像生成に必要な部品を眼鏡の形状に沿った配置とすることが可能となるため、装置を小型化することができる。
【実施例２】
【００２０】
図４は、実施例１の映像表示装置１において光の制御が不十分な場合を例示する図である。図４の例では、反射型表示素子１３を反射した光がノーズパッド９５の方まで拡散され、第２ホログラフィック光学素子１４上に良好に導くことができていない。実施例２の映像表示装置は、図４に示したような第２ホログラフィック光学素子１４への導光制御が不十分な場合にこれを改善することを目的としている。
【００２１】
以下、図５を参照して実施例２の映像表示装置について説明する。図５は、本実施例の映像表示装置２の構成を示す平面図である。図５に示すように、本実施例の映像表示装置２は、実施例１の映像表示装置１の構成に加え、第３ホログラフィック光学素子２１を含む。第３ホログラフィック光学素子２１は、反射型表示素子１３と第２ホログラフィック光学素子１４の間に位置し、反射型表示素子１３からの反射光を透過屈折させて、第２ホログラフィック光学素子１４に導光する。
【００２２】
第３ホログラフィック光学素子２１は、例えば設計条件が厳しく、反射型表示素子１３からの反射光を有効に第２ホログラフィック光学素子１４に導けない場合に、光線の向きを補正する目的で追加される。
【００２３】
本実施例の映像表示装置２によれば、実施例１と同様の効果に加え、第３ホログラフィック光学素子２１を追加することにより、反射型表示素子１３からの反射光を有効に第２ホログラフィック光学素子１４に導光することができる。
【実施例３】
【００２４】
以下、図６を参照して実施例３の映像表示装置について説明する。図６は、本実施例の映像表示装置３の構成を示す平面図である。図６に示すように、本実施例の映像表示装置３は、実施例１の映像表示装置１の構成のうち、第１ホログラフィック光学素子１２を、第１ホログラフィック光学素子３２に置き換えた構成である。
【００２５】
第１ホログラフィック光学素子３２は、実施例１と同様に、光源１１からの光を所定方向に反射させて反射型表示素子１３に導光する機能を有するが、この機能だけでなく、反射型表示素子１３から反射されて再度入射した光を透過屈折させて、第２ホログラフィック光学素子１４に導光する機能をも有する。すなわち、本実施例の第１ホログラフィック光学素子３２は、実施例１の第１ホログラフィック光学素子１２の機能と実施例２の第３ホログラフィック光学素子２１の機能を併せ持つ。
【００２６】
本実施例の映像表示装置３は、反射型表示素子１３への導光機能、第２ホログラフィック光学素子１４への導光機能を併せ持つ、第１ホログラフィック光学素子３２を備えることにより、実施例１、実施例２と同様の効果を奏する。
【００２７】
以下、図７、図８を参照して第１ホログラフィック光学素子３２を通じて観察される虚像について説明する。本実施例の映像表示装置３では、反射型表示素子１３の各画素から広がった（拡散した）光が再現できるように、第２ホログラフィック光学素子１４を設計した。ある程度の幅で拡散した第１ホログラフィック光学素子３２からの光を、第２ホログラフィック光学素子１４に照射し、反射させることで図７に示す位置に所定の立体角の虚像６０（仮想画素６１、６２、６３を含む）を生成することができる。ユーザから見れば、第２ホログラフィック光学素子１４はいわば、虚像６０を観察するためののぞき穴と同じであるから、第２ホログラフィック光学素子１４が小さなサイズになれば、虚像６０として観察される範囲も小さくなる。
【００２８】
例えば図８に示すように図７に例示した場合よりも第２ホログラフィック光学素子１４が小さい場合、虚像６０の立体角も必然的に小さくなる。このことは、虚像６０を図７の場合の大きさと同程度にしようとすると、虚像の端に位置する仮想画素６１’からの光は、眼球に入射しないと表現することもできる（同図中の細線矢印参照）。
【００２９】
大画面の映像を実現するためには、第２ホログラフィック光学素子１４への照射面積を大きくする必要がある。そこで、第１ホログラフィック光学素子３２にレンズ機能（反射型表示素子１３からの光を拡大させて透過させる機能）を持たせ、第１ホログラフィック光学素子３２において透過屈折角を調整することで第２ホログラフィック光学素子１４を浅い角度で照射して映像の横方向（水平方向）を拡大する。さらに、第１ホログラフィック光学素子３２のレンズ機能により、主に映像の縦方向（鉛直方向）を拡大することにより、第２ホログラフィック光学素子１４への照射面積を大きくすることができる。映像の横方向（水平方向）の拡大は角度の調整ではなく、第１ホログラフィック光学素子３２のレンズ機能に依ってもよい。この点については実施例４において詳細に述べる。
【実施例４】
【００３０】
以下、図９を参照して実施例４の映像表示装置について説明する。図９は、本実施例の映像表示装置４の構成を示す平面図である。図９に示すように、本実施例の映像表示装置４は、実施例３の映像表示装置３の構成のうち、第１ホログラフィック光学素子３２を第１ホログラフィック光学素子４２に、第２ホログラフィック光学素子１４を、第２ホログラフィック光学素子４４に、それぞれ置き換えた構成である。
【００３１】
上述の実施例（図２、図４〜図６の配置例）で示した通り、反射型表示素子１３は、眼鏡のテンプル９２に支持固定され、この位置からレンズ９４に貼付された第２ホログラフィック光学素子１４を照射するため、反射型表示素子１３からの光は、斜め方向から第２ホログラフィック光学素子１４に入射することになる。これにより、反射型表示素子１３が生成する像は、第２ホログラフィック光学素子１４上において水平方向に引き伸ばされた像となる。実施例１〜３では、この光学的要因による像の変形をソフトウェア側で調整することで解消することができる。例えば、反射型表示素子１３が生成する像の鉛直方向を予め定めた比率に引き伸ばしておくか、または像の水平方向を予め定めた比率に縮小しておけばよい。しかしながら、ソフトウェアによって像を変形した場合、引き伸ばされた方向において解像度が劣化するという課題がある。
【００３２】
そこで本実施例では、第１ホログラフィック光学素子４２に集光、または拡散機能を持たせることで、この課題を解決した。第１ホログラフィック光学素子４２は、実施例１、実施例３と同様に、光源１１からの光を所定方向に反射させて反射型表示素子１３に導光する機能を有し、実施例３と同様に、反射型表示素子１３から反射されて再度入射した光を透過屈折させて、第２ホログラフィック光学素子４４に導光する機能を有する。このとき第１ホログラフィック光学素子４２は、反射型表示素子１３から反射されて再度入射した光を、第２ホログラフィック光学素子４４の受光領域の水平方向幅、または鉛直方向幅が所定の幅に伸長、または圧縮されるように、反射光を制御する。例えば、第１ホログラフィック光学素子４２は、第２ホログラフィック光学素子４４の受光領域の水平方向幅が、反射型表示素子１３の水平方向幅と等しくなるように、反射光を屈折透過させ、集光制御する。
【００３３】
第２ホログラフィック光学素子４４は、実施例１〜３の第２ホログラフィック光学素子１４と同じでも良いが、第１ホログラフィック光学素子４２の制御に伴って適切なサイズに変更してもよい。例えば、第１ホログラフィック光学素子４２が水平方向の集光制御を実行する場合には、これに伴って、水平方向幅を縮小してもよい。第１ホログラフィック光学素子４２が鉛直方向の拡散制御を実行する場合には、これに伴って、鉛直方向幅を拡張してもよい。
【００３４】
本実施例では、第１ホログラフィック光学素子４２に集光、または拡散機能を持たせ、第２ホログラフィック光学素子４４の受光領域（映像光投影領域）の水平方向幅、または鉛直方向幅が所定の幅に伸長、または圧縮されるように、反射光を制御したが、同様の変形を例えば実施例２の第３ホログラフィック光学素子２１に対して行ってもよい。第３ホログラフィック光学素子２１に集光、または拡散機能を持たせることにより、第３ホログラフィック光学素子２１は第２ホログラフィック光学素子１４への導光機能を果たすだけでなく、第２ホログラフィック光学素子１４の受光領域（映像光投影領域）の水平方向幅、または鉛直方向幅が所定の幅に伸長、または圧縮されるように、反射光を制御する機能を果たす。
【００３５】
本実施例の映像表示装置４によれば、実施例３の効果に加え、解像度を劣化させずに、映像のアスペクト比を調整することができる。
【００３６】
＜補記＞
本発明の装置は、例えば単一のハードウェアエンティティとして、キーボードなどが接続可能な入力部、液晶ディスプレイなどが接続可能な出力部、ハードウェアエンティティの外部に通信可能な通信装置（例えば通信ケーブル）が接続可能な通信部、ＣＰＵ（Central Processing Unit、キャッシュメモリやレジスタなどを備えていてもよい）、メモリであるＲＡＭやＲＯＭ、ハードディスクである外部記憶装置並びにこれらの入力部、出力部、通信部、ＣＰＵ、ＲＡＭ、ＲＯＭ、外部記憶装置の間のデータのやり取りが可能なように接続するバスを有していてもよい。また必要に応じて、ハードウェアエンティティに、ＣＤ−ＲＯＭなどの記録媒体を読み書きできる装置（ドライブ）などを設けることとしてもよい。このようなハードウェア資源を備えた物理的実体としては、汎用コンピュータ、マイクロコンピュータ、マイクロコントローラなどがある。
【００３７】
ハードウェアエンティティの外部記憶装置には、上述の機能を実現するために必要となるプログラムおよびこのプログラムの処理において必要となるデータなどが記憶されている（外部記憶装置に限らず、例えばプログラムを読み出し専用記憶装置であるＲＯＭに記憶させておくこととしてもよい）。また、これらのプログラムの処理によって得られるデータなどは、ＲＡＭや外部記憶装置などに適宜に記憶される。
【００３８】
ハードウェアエンティティでは、外部記憶装置（あるいはＲＯＭなど）に記憶された各プログラムとこの各プログラムの処理に必要なデータが必要に応じてメモリに読み込まれて、適宜にＣＰＵで解釈実行・処理される。その結果、ＣＰＵが所定の機能（上記、…部、…手段などと表した各構成要件）を実現する。
【００３９】
本発明は上述の実施形態に限定されるものではなく、本発明の趣旨を逸脱しない範囲で適宜変更が可能である。また、上記実施形態において説明した処理は、記載の順に従って時系列に実行されるのみならず、処理を実行する装置の処理能力あるいは必要に応じて並列的にあるいは個別に実行されるとしてもよい。
【００４０】
既述のように、上記実施形態において説明したハードウェアエンティティ（本発明の装置）における処理機能をコンピュータによって実現する場合、ハードウェアエンティティが有すべき機能の処理内容はプログラムによって記述される。そして、このプログラムをコンピュータで実行することにより、上記ハードウェアエンティティにおける処理機能がコンピュータ上で実現される。
【００４１】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。具体的には、例えば、磁気記録装置として、ハードディスク装置、フレキシブルディスク、磁気テープ等を、光ディスクとして、ＤＶＤ（Digital Versatile Disc）、ＤＶＤ−ＲＡＭ（Random Access Memory）、ＣＤ−ＲＯＭ（Compact Disc Read Only Memory）、ＣＤ−Ｒ（Recordable）／ＲＷ（ReWritable）等を、光磁気記録媒体として、ＭＯ（Magneto-Optical disc）等を、半導体メモリとしてＥＥＰ−ＲＯＭ（Electronically Erasable and Programmable-Read Only Memory）等を用いることができる。
【００４２】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００４３】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【００４４】
また、この形態では、コンピュータ上で所定のプログラムを実行させることにより、ハードウェアエンティティを構成することとしたが、これらの処理内容の少なくとも一部をハードウェア的に実現することとしてもよい。
【符号の説明】
【００４５】
８    映像表示装置
９１    モダン
９２    テンプル
９３    リム
９４    レンズ
９５    ノーズパッド
９６    ブリッジ
１１    光源
８２    プリズム
１３    反射型表示素子
１４    （第２）ホログラフィック光学素子
１５    制御部
７１    瞳孔中心
１    映像表示装置
１２    第１ホログラフィック光学素子
２    映像表示装置
２１    第３ホログラフィック光学素子
３    映像表示装置
３２    第１ホログラフィック光学素子
４    映像表示装置
４２    第１ホログラフィック光学素子
４４    第２ホログラフィック光学素子
６０    虚像
６１    仮想画素
６１’    仮想画素
６２    仮想画素
６３    仮想画素
【図１】
0006534302.tif 000002
【図２】
0006534302.tif 000003
【図３】
0006534302.tif 000004
【図４】
0006534302.tif 000005
【図５】
0006534302.tif 000006
【図６】
0006534302.tif 000007
【図７】
0006534302.tif 000008
【図８】
0006534302.tif 000009
【図９】
0006534302.tif 000010